(57)【要約】【課題】  従来のスリッパは指と指が重なり合う問題点があった、文献１は鼻緒を前へ３〜５ｃｍ、厚みを７〜８ｍｍとしてあるが、これだけでは欠点がある。【解決手段】  鼻緒の長さを３．５〜４ｃｍとし、親指と人差し指の股にあたる厚みを３〜４ｍｍ、指先を５〜６ｍｍの扇型にし、更に高さを３〜４ｃｍとることで親指と人差し指が左右に動くのを防ぐ。鼻緒の上部に笠をつけ、隣合った指が重ならないようにする。布製のカバーをつけることで指の股が７〜８ｍｍ、指先９〜１０ｍｍと厚さを加えて指の開きを徐々に慣らしながら広げる。布製であるため、敏感な皮膚を刺激せずに足に負担をかけない。カバーの取り付け、取り外しが簡単で、洗濯が可能で衛生的。鼻緒と笠と足の甲のカバーを接合することにより、履いた時足にフィットし、安定感を保ち、違和感なく長時間着用可能。更に土踏まずが足にやさしく矯正に役立つ。【選択図】図６
0003138437.tif 000002
【実用新案登録請求の範囲】
【請求項１】
鼻緒部分の厚みを３〜４ｍｍ、指の先が５〜６ｍｍと扇型にし、長さを３．５〜４ｃｍとし、高さを３〜４ｃｍにして鼻緒の上部に笠をつけ、足の親指と人差し指のからまりを防ぐため、鼻緒と笠と足の甲のカバーを接合することを特徴とする健康スリッパ。
【請求項２】
布製のカバーを鼻緒部分に巻きつけることで、鼻緒部分の厚みを大きくし指の開きを助け、足指にやさしく、いたみを防ぎ、取り外し、取り付けが容易で、洗濯可能で清潔にすることを目的として、布製でやさしく、敏感な指の皮膚に違和感なく長時間着用し、カバーの両側にマジックテープあるいは水洗い可能な強力な両面テープを使用したことを特徴とする請求項１に記載の健康スリッパ。
【請求項３】
請求項１及び請求項２に記載した健康スリッパに土踏まずの部分を設けることにより、長時間着用することで矯正にも利用しうる健康スリッパ。
【考案の詳細な説明】
【技術の分野】
【０００１】  本考案は健康スリッパに関する。
【背景技術】
【０００２】  鼻緒部分を前へ長く３〜５ｃｍとり、厚みを７〜８ｍｍとしている。（例えば特許文献１を参照）従来の課題は問題がある。
【特許文献１】登録実用新案第３１２８７７２号
【考案の開示】
【考案が解決しようとする課題】
【０００３】  鼻緒を前に３〜５ｃｍとり、厚みを７〜８ｍｍのぞうりスリッパは外反母趾の進行により
足の親指と人差し指が重なり合うという欠点がある。鼻緒の長さと幅（厚み）とさらに、高さを考慮しなければ問題を解決できない。
【課題を解決するための手段】
【０００４】  鼻緒の長さを３．５〜４ｃｍとし、親指と人差し指の股に当たる面の厚さを３〜４ｍｍ、指先の開いた部分の厚さを５〜６ｍｍと、扇型にし、高さを３〜４ｃｍとることで、親指と人差し指が左右に動くのを防ぐ。鼻緒の高さを２ｃｍ、２．５ｃｍ、３ｃｍと試したが、３〜４ｃｍが足指のからまりを防ぐことがわかった。しかし鼻緒を高くするだけでは充分ではなく、鼻緒の上部に笠をつけて親指と人差し指が重ならないようにする。布製のカバーをつけることで、指の股部分が７〜８ｍｍ、指先の開いた部分を９〜１０ｍｍと鼻緒部分の厚さを大きくし、指の開きを徐々に慣らし、広げていく。布製であるため、敏感な指の皮膚を刺激せず、足にやさしく負担をかけない。又、カバーの取り付け、取り外しが容易で、洗濯が可能で衛生的である。鼻緒と笠と足の甲のカバーの３箇所を接合することで履いた時、足にフィットし、安定感ができ、足にかかる力を小さくし、着脱が簡単で、長時間履いても違和感なく着用可能、更に土踏まずが足にやさしく、矯正に役立つ。
【考案の効果】
【０００５】  使い始めは細い鼻緒から徐々に厚い鼻緒に換えていき、指の開きを時間をかけて慣らしていくのが理想である。太い鼻緒を無理に着用すると、足に負担がかかり、長時間、履くことは困難と思われる。カバーの取り外しを自由にすることで、鼻緒部分の厚さを太くも細くもでき、色々なタイプの足に合わせることができる。カバーが布製のため、敏感な指にやさしく、負担をかけない。鼻緒部分を長く前に突き出し、高さも十分に取り、笠をつけることで足指が左右に動くのを防ぎ、指の絡まりも防ぐ。笠をつけることで下の鼻緒を隠して、全体をすっきりときれいに見せ、デザイン的にも考慮している。従来のスリッパは、長時間履くと足が痛くなり、着脱が容易でないため、宝の持ち腐れとなってしまいがちである。鼻緒部分と笠と足の甲のカバー部分を３箇所接合することで着脱が楽にでき足にフィットする。履いた時に足に安定感ができ、足にかかる力を小さくし、長時間履いても痛みがなく履いていることさえ忘れてしまうほど違和感がない。又、土踏まずが足にやさしく矯正に役立つ。足の矯正に必要なことは、痛みがなく、指の絡まりを防ぎ、楽に着脱ができ、長時間着用することを必要とする。このスリッパはこれらの条件を満たしデザインにも優れている。
【考案を実施するための最良の形態】
【０００６】図１に示すように１は鼻緒部分の上部にとりつける笠、親指と人差し指がからまらず、足指が動くのを防ぐためのもの。指が固定されて不安定な状態を守る。１を鼻緒につけることで指の絡まりを防ぐだけでなく、全体をすっきりと見せバランスがとれファッション性にも優れる。【０００７】図２に示すように、２は指の股の厚みを３〜４ｍｍ、指先の開いた状態を５〜６ｍｍと、親指と人差し指が自然と開いた状態、扇型になるための鼻緒である。鼻緒２の長さを３．５〜４ｃｍとし、高さを３〜４ｃｍとすることで、親指と人差し指の絡まりを防ぐ。２の高さを２ｃｍ、２．５ｃｍ、３ｃｍと試したが、３〜４ｃｍが最も絡まりを防ぎ、指が上にあがらない高さである。又スリッパを履いた時のゆとりが少しあったほうが良い。長時間履いても痛みがなく違和感がない。【０００８】図３に示すように３は布製のカバーで２の鼻緒部分に巻きつけるもの。２の厚みを増すためのもので、このカバーをつけることで指の開きを大きく変えていくためのもの。ゴム製、皮革にアレルギー反応を起こす人もいるが、布製は足にやさしく理想的である。最大のメリットは取り外し可能で洗濯もでき衛生的である。取り付けも楽でマジックテープあるいは水洗いも可能な強力な両面テープを使用する。【０００９】図４に示すように４は土踏まず。４をつけることにより足の疲れを取り除き指を開くことを助けるためのもの。４は足の矯正に役立つ。２の鼻緒部分に３の布製のカバーを巻きつけたもの。【００１０】図５に示すように、真上から見たもの。２の鼻緒部分に１の笠を取り付ける前の形態である。２の鼻緒と５の足の甲のカバーが接合した本体６。【００１１】図６は側面から見た図。本体６の出来上がり図である。６は１の笠と２の鼻緒、２に３のカバーを取り付け５の足の甲カバーが合わさったもの。１と２と５が接合することで楽に着脱でき足の動きを安定させ長時間着用することを目的とする。２に３のカバーを取り付けることで２の厚みを大きくし取り付け取り外しが簡単、洗濯可能で清潔を保つのが目的である。カバーを巻きつけることでクッションの役割もあり、痛みを解消する。厚みが加わることで指の開きを広げる役割をする。４の土踏まずは疲れた足にやさしく長時間履くことを目的とする。長い時間しめつけた足を徐々に開いてあげるようにし、外反母趾の進行を防ぐためにはこの健康スリッパを履くことで、足指を広げて痛みがなく長い時間はくことを目的とする。【００１２】図７は２の鼻緒の上に１の笠をつけたもの、２の鼻緒に３のカバーを取り付けたもの、１と２と５の足の甲のカバーが接合したもの、４の土踏まずがついたもので真上から見た本体６の出来上がり図である。
【産業上の利用可能性】
【００１３】年齢を問わず多くの女性は足に負担をかけて外反母趾で悩んでいるように思われる。外出先から帰ったときに抑えられた足指を開放してあげることが肝要と思われる。楽に、簡単に着脱でき、カバーをつけることで鼻緒の厚みを細くも太くもできるため、多くのタイプの足に合わせることができ、取り外しが簡単で、洗濯が可能で衛生的にも良い。カバーが布製でクッションの役割もあり、足指にも痛みがなく、長時間着用可能である。鼻緒に笠をつけることで足元をスッキリときれいに見せ、ファッション性にも優れている。笠の部分に変化をつけ色々な工夫をこらすことで矯正スリッパを日常生活の中で楽しみながら利用できる。
【図面の簡単な説明】
【００１４】
【図１】本考案に係る健康スリッパの一部
【図２】本考案に係る健康スリッパの一部
【図３】本考案に係る健康スリッパの一部
【図４】本考案に係る健康スリッパの製造における工程図
【図５】本考案に係る健康スリッパの製造における工程図
【図６】本考案に係る健康スリッパを横から見た図
【図７】本考案に係る健康スリッパを上から見た図
【符号の説明】
【００１５】    １．      鼻緒の上部につく笠
２．      鼻緒
３．      布カバー
４．      土踏まず
５．      甲の部分のカバー
６．      スリッパ本体
【図１】
0003138437.tif 000003
【図２】
0003138437.tif 000004
【図３】
0003138437.tif 000005
【図４】
0003138437.tif 000006
【図５】
0003138437.tif 000007
【図６】
0003138437.tif 000008
【図７】
0003138437.tif 000009
【手続補正書】
【提出日】平成19年10月11日(2007.10.11)
【手続補正１】
【補正対象書類名】実用新案登録請求の範囲
【補正対象項目名】請求項２
【補正方法】変更
【補正の内容】
【請求項２】
布製のカバーを鼻緒部分に巻きつけることで、鼻緒部分の厚みを大きくし指の開きを助け、足指にやさしく、いたみを防ぎ、取り外し、取り付けが容易で、洗濯可能で清潔にすることを目的として、布製でやさしく、敏感な指の皮膚に違和感なく長時間着用し、カバーの両側にマジックテープ（登録商標）あるいは水洗い可能な強力な両面テープを使用したことを特徴とする請求項１に記載の健康スリッパ。
【手続補正２】
【補正対象書類名】実用新案登録請求の範囲
【補正対象項目名】請求項３
【補正方法】変更
【補正の内容】
【請求項３】
請求項１または２に記載した健康スリッパに土踏まずの部分を設けることにより、長時間着用することで矯正にも利用しうる健康スリッパ。